(57)【要約】【課題】  デジタル放送を利用して、各エリアごとの混雑状況を把握することが可能な混雑状況把握システムを提供する。【解決手段】  携帯可能なデジタル放送受信装置１００と、エリア情報管理サーバ２００が接続された混雑状況把握システムにおいて、デジタル放送受信装置１００内のＧＰＳ機能で取得した端末位置情報を、エリア情報管理サーバ２００がデジタル放送受信装置１００から受信すると、通信記録登録手段２４０が、受信した端末位置情報でエリア定義情報記憶手段２１０を参照してエリアを特定し、特定したエリアと対応付けて通信記録を記憶する。続いて、通信記録集計手段２５０は、エリア別通信記録記憶手段２２０に記憶された通信記録をエリア別で端末ごとの重複を排除して集計して端末数を得る。次に、混雑状況判定手段２６０は、得られた端末数で混雑状況を判定し、混雑状況通知手段２７０が混雑状況をデジタル放送受信装置１００に送信する。【選択図】  図１
2010283439.tif 000002
【特許請求の範囲】
【請求項１】
デジタル放送を受信する機能、位置特定機能、通信機能を有するデジタル放送受信装置と、当該デジタル放送受信装置とデータ送受信可能に接続されたエリア情報管理サーバ、ページ管理サーバを有し、前記デジタル放送受信装置に対して、当該デジタル放送受信装置の受信地を含むエリアの混雑状況を通知するシステムであって、
前記ページ管理サーバは、デジタル放送受信装置が処理可能な形式で形成されたページデータを記憶するページデータ記憶手段と、前記デジタル放送受信装置からの要求に従って、前記ページデータ記憶手段に記憶されたページデータを前記デジタル放送受信装置に送信するページデータ送信手段と、を有し、
前記エリア情報管理サーバは、エリアの範囲を特定する位置情報と、当該エリアを識別するエリアＩＤを対応付けて記憶したエリア定義情報記憶手段と、前記デジタル放送受信装置から受信した端末位置情報で前記エリア定義情報記憶手段を参照してエリアＩＤを特定し、前記デジタル放送受信装置を特定する端末識別情報と、通信時刻を前記特定したエリアＩＤと対応付けて通信記録記憶手段に登録する通信記録登録手段と、前記通信記録記憶手段に記憶された通信記録の数を、端末識別情報の重複を排除して端末数としてエリア別に集計する通信記録集計手段と、前記集計されたエリア別の端末数に応じてエリア別の混雑状況を判定する混雑状況判定手段と、前記エリア別の混雑状況を前記デジタル放送受信装置に通知する混雑状況通知手段と、を有することを特徴とする混雑状況通知システム。
【請求項２】
デジタル放送を受信する機能、位置特定機能、通信機能を有するデジタル放送受信装置とデータ送受信可能に接続され、混雑状況を把握するためにエリア別に情報を管理するサーバであって、
エリアの範囲を特定する位置情報と、当該エリアを識別するエリアＩＤを対応付けて記憶したエリア定義情報記憶手段と、前記デジタル放送受信装置から受信した端末位置情報で前記エリア定義情報記憶手段を参照してエリアＩＤを特定し、前記デジタル放送受信装置を特定する端末識別情報と、通信時刻を前記特定したエリアＩＤと対応付けて通信記録記憶手段に登録する通信記録登録手段と、前記通信記録記憶手段に記憶された通信記録の数を、端末識別情報の重複を排除してエリア別に集計する通信記録集計手段と、前記集計されたエリア別の通信記録数に応じてエリア別の混雑状況を判定する混雑状況判定手段と、前記エリア別の混雑状況を前記デジタル放送受信装置に通知する混雑状況通知手段と、
を有することを特徴とするエリア情報管理サーバ。
【請求項３】
請求項２に記載のエリア関連情報サーバとして、コンピュータを機能させるためのプログラム。
【請求項４】
デジタル放送を受信する機能、通信機能を有するデジタル放送受信装置と、当該デジタル放送受信装置とデータ送受信可能に接続されたエリア情報管理サーバと、複数のデジタル放送送信装置を有し、前記デジタル放送受信装置に対して、当該デジタル放送受信装置の受信地を含むエリアの混雑状況を通知するシステムであって、
前記複数のデジタル放送送信装置は、それぞれ所定範囲内のエリアに放送波を送出する能力を有し、互いに重複しない番組ＩＤを組み込んだページデータを放送波として送出するものであり、
前記エリア情報管理サーバは、番組を識別する番組ＩＤと、エリアを識別するエリアＩＤを対応付けて記憶したエリア定義情報記憶手段と、前記デジタル放送受信装置から受信した番組ＩＤで前記エリア定義情報記憶手段を参照してエリアＩＤを特定し、前記デジタル放送受信装置を特定する端末識別情報と、通信時刻を前記特定したエリアＩＤと対応付けて通信記録記憶手段に登録する通信記録登録手段と、前記通信記録記憶手段に記憶された通信記録の数を、端末識別情報の重複を排除して端末数としてエリア別に集計する通信記録集計手段と、前記集計されたエリア別の端末数に応じてエリア別の混雑状況を判定する混雑状況判定手段と、前記エリア別の混雑状況を前記デジタル放送受信装置に通知する混雑状況通知手段と、を有することを特徴とする混雑状況通知システム。
【請求項５】
デジタル放送を受信する機能、通信機能を有するデジタル放送受信装置とデータ送受信可能に接続され、混雑状況を把握するためにエリア別に情報を管理するサーバであって、
番組を識別する番組ＩＤと、エリアを識別するエリアＩＤを対応付けて記憶したエリア定義情報記憶手段と、前記デジタル放送受信装置から受信した番組ＩＤで前記エリア定義情報記憶手段を参照してエリアＩＤを特定し、前記デジタル放送受信装置を特定する端末識別情報と、通信時刻を前記特定したエリアＩＤと対応付けて通信記録記憶手段に登録する通信記録登録手段と、前記通信記録記憶手段に記憶された通信記録の数を、端末識別情報の重複を排除して端末数としてエリア別に集計する通信記録集計手段と、前記集計されたエリア別の端末数に応じてエリア別の混雑状況を判定する混雑状況判定手段と、前記エリア別の混雑状況を前記デジタル放送受信装置に通知する混雑状況通知手段と、
を有することを特徴とするエリア情報管理サーバ。
【請求項６】
請求項５に記載のエリア関連情報サーバとして、コンピュータを機能させるためのプログラム。
【発明の詳細な説明】
【技術分野】
【０００１】
本発明は、地上デジタル放送を利用して、エリアごとの混雑状況を把握するための技術に関する。
【背景技術】
【０００２】
近年、携帯電話などの移動体向けとして、地上デジタル放送１セグメント部分受信サービス（以下、「ワンセグ放送」という）が行われている。このワンセグ放送においては、２００８年にサイマル放送の義務化が解除されることにより、独自の番組編成・制作を行うことができるようになった。このため、ワンセグ放送は今後も視聴環境が広がることが予想され、広告主が自由なサービスを提供できるメディアとなりつつある。
【０００３】
最近では、ＧＰＳ機能、ワンセグ放送受信機能を有する携帯電話機も普及してきており、出願人も、このような携帯電話機に対して、エリア別に異なる情報を提供する技術を提案している（特許文献１参照）。
【先行技術文献】
【特許文献】
【０００４】
【特許文献１】特願２００８−９００８８号
【発明の概要】
【発明が解決しようとする課題】
【０００５】
一方で、従来、テーマパークのアトラクション等では、アトラクションによって混雑の程度に差があり、なるべく空いているアトラクションに誘導するため、各アトラクションの混雑状況を把握したいという要望がある。
【０００６】
そこで、本発明は、デジタル放送を利用して、各エリアごとの混雑状況を把握することが可能な混雑状況把握システムを提供することを課題とする。
【課題を解決するための手段】
【０００７】
上記課題を解決するため、本発明では、デジタル放送を受信する機能、位置特定機能、通信機能を有するデジタル放送受信装置と、当該デジタル放送受信装置とデータ送受信可能に接続されたエリア情報管理サーバ、ページ管理サーバを有し、前記デジタル放送受信装置に対して、当該デジタル放送受信装置の受信地を含むエリアの混雑状況を通知するシステムであって、前記ページ管理サーバは、デジタル放送受信装置が処理可能な形式で形成されたページデータを記憶するページデータ記憶手段と、前記デジタル放送受信装置からの要求に従って、前記ページデータ記憶手段に記憶されたページデータを前記デジタル放送受信装置に送信するページデータ送信手段と、を有し、前記エリア情報管理サーバは、エリアの範囲を特定する位置情報と、当該エリアを識別するエリアＩＤを対応付けて記憶したエリア定義情報記憶手段と、前記デジタル放送受信装置から受信した端末位置情報で前記エリア定義情報記憶手段を参照してエリアＩＤを特定し、前記デジタル放送受信装置を特定する端末識別情報と、通信時刻を前記特定したエリアＩＤと対応付けて通信記録記憶手段に登録する通信記録登録手段と、前記通信記録記憶手段に記憶された通信記録の数を、端末識別情報の重複を排除してエリア別に集計する通信記録集計手段と、前記集計されたエリア別の通信記録数に応じてエリア別の混雑状況を判定する混雑状況判定手段と、前記エリア別の混雑状況を前記デジタル放送受信装置に通知する混雑状況通知手段を有する混雑状況通知システムを提供する。
【発明の効果】
【０００８】
本発明によれば、デジタル放送受信装置と通信可能なエリア情報管理サーバが、エリアの範囲を特定する位置情報と、そのエリアを識別するエリアＩＤを対応付けて記憶しておき、デジタル放送受信装置から端末位置情報を伴う通信があった場合に、その端末位置情報によりエリアを特定し、その端末識別情報とともに通信記録を記憶し、この通信記録をエリア別に集計してエリア別端末数を得て、混雑状況を判定し、通知するようにしたので、デジタル放送を利用して、各エリアごとの混雑状況を把握することが可能となる。
【図面の簡単な説明】
【０００９】
【図１】本発明第１の実施形態に係る混雑状況通知システムの構成図である。
【図２】デジタル放送受信装置１００のハードウェア構成図である。
【図３】エリア定義情報記憶手段２１０に記憶された情報の一例を示す図である。
【図４】第１の実施形態で利用するページを表示した際の、表示デバイス１０の画面の一例を示す図である。
【図５】デジタル放送受信装置１００に表示された電子メール画面の一例を示す図である。
【図６】エリア別通信記録記憶手段２２０に記憶された情報の一例を示す図である。
【図７】エリア別端末数記憶手段２３０に記憶された情報の一例を示す図である。
【図８】混雑状況判定条件を示す図である。
【図９】本発明第２の実施形態に係る混雑状況通知システムの構成図である。
【図１０】エリア定義情報記憶手段４１０に記憶された情報の一例を示す図である。
【図１１】第２の実施形態で利用するページを表示した際の、表示デバイス１０の画面の一例を示す図である。
【図１２】エリア別通信記録記憶手段４２０に記憶された情報の一例を示す図である。
【発明を実施するための形態】
【００１０】
以下、本発明の好適な実施形態について、図面を参照して詳細に説明する。
（１．システム構成）
図１は、本発明第１の実施形態に係る混雑状況通知システムの構成図である。図１において、１００はデジタル放送受信装置、２００はエリア情報管理サーバ、２１０はエリア定義情報記憶手段、２２０はエリア別通信記録記憶手段、２３０はエリア別端末数記憶手段、２４０は通信記録登録手段、２５０は通信記録集計手段、２６０は混雑状況判定手段、２７０は混雑状況通知手段、３００はページ管理サーバである。
【００１１】
デジタル放送受信装置１００は、デジタル放送の一種であるワンセグ放送を受信する機能、位置特定機能であるＧＰＳ（Global Positioning System）機能、インターネット等のコンピュータネットワーク通信機能を搭載した携帯型の端末装置であり、例えば、ワンセグ放送受信機能、ＧＰＳ機能、コンピュータネットワークへの通信機能を搭載した市販の携帯電話機により実現される。本実施形態では、デジタル放送の一種であるワンセグ放送を例にとって説明するが、本発明は、ワンセグ放送以外のデジタル放送に適用することも可能である。
【００１２】
エリア情報管理サーバ２００は、エリア定義情報記憶手段２１０、エリア別通信記録記憶手段２２０、エリア別端末数記憶手段２３０、通信記録登録手段２４０、通信記録集計手段２５０、混雑状況判定手段２６０、混雑状況通知手段２７０を有する。エリア定義情報記憶手段２１０は、各エリアの範囲を特定する位置情報と、当該エリアを識別するエリアＩＤを対応付けて記憶したものである。エリアの範囲を特定する位置情報として、本実施形態では緯度、経度の情報を用いている。エリア別通信記録記憶手段２２０は、デジタル放送受信装置１００からの通信記録を、その通信時刻とともにエリア別に記憶するものである。エリア別端末数記憶手段２３０は、所定時間内におけるエリア別の端末数を記憶するものである。エリア定義情報記憶手段２１０、エリア別通信記録記憶手段２２０、エリア別端末数記憶手段２３０は、エリア情報管理サーバ２００を実現するサーバコンピュータに内蔵または接続されたハードディスク等の記憶装置により実現される。
【００１３】
通信記録登録手段２４０は、デジタル放送受信装置１００から受信した端末位置情報でエリア定義情報記憶手段２１０を参照してエリアＩＤを特定し、デジタル放送受信装置１００を特定する端末識別情報と、通信時刻を特定したエリアＩＤと対応付けてエリア別通信記録記憶手段２２０に登録する処理を行う。通信記録集計手段２５０は、エリア別通信記録記憶手段２２０に記憶された通信記録の数を、端末識別情報の重複を排除してエリア別に集計し、結果をエリア別端末数記憶手段２３０に登録する。混雑状況判定手段２６０は、エリア別端末数記憶手段２３０に記憶されたエリア別の端末数に応じてエリア別の混雑状況を判定する。混雑状況通知手段２７０は、混雑状況判定手段２６０により判定されたエリア別の混雑状況をデジタル放送受信装置１００に通知する。本実施形態では、混雑状況通知手段２７０は、電子メール作成機能および電子メール送信機能を備え、混雑状況を本文に組み込んだ電子メールを作成して送信する。エリア情報管理サーバ２００は、インターネット等のコンピュータネットワークに接続されたサーバコンピュータに、上記各手段として機能する専用のプログラムを組み込むことにより実現される。混雑状況通知手段２７０として機能するプログラムは、汎用の電子メールソフトウェアを起動する命令も含んでいる。
【００１４】
ページ管理サーバ３００は、ＢＭＬ（Broadcast Markup Language）形式のページデータを管理するサーバコンピュータであり、ページデータに記述された命令が本発明特有のものである以外は、特に従来のものと違いはない。ページ管理サーバ３００は、ハードディスク等で実現されるページデータ記憶手段にページデータを記憶しておき、デジタル放送受信装置１００からの要求に従い、要求されたページデータをデジタル放送受信装置１００に送信する。
【００１５】
図２は、デジタル放送受信装置１００のハードウェア構成図である。図２における構成は、市販のワンセグ放送受信機能付きの携帯電話機そのものである。図２において、１はアンテナ、２はチューナ、３はＯＦＤＭ復調器、４はＴＳ（トランスポートストリーム）デコーダ、５は音声デコーダ、６は映像デコーダ、７はモノメディアデコーダ、８はＢＭＬブラウザ、９はスピーカ・イヤホン、１０は表示デバイス、１１はＣＰＵ、１２はＲＡＭ、１３はＲＯＭ、１４はＮＶＲＡＭ、１５は通信インタフェース、１６はキーインタフェース、１７は操作キー、１８はＧＰＳ機能である。
【００１６】
デジタル放送受信装置１００においては、アンテナ１、チューナ２を介して、本線映像と付属音声、およびＢＭＬを含む放送波を受信すると、ＯＦＤＭ復調器３がＯＦＤＭ復調を行った後、ＴＳデコーダ４が本線映像、付属音声、ＢＭＬを分離する。そして付属音声は音声デコーダ５によりデコードされ、スピーカまたはイヤホン９から出力される。本線映像は、映像デコーダ６によりデコードされ、表示デバイス１０に表示される。ＢＭＬについては、ＢＭＬブラウザ８により解釈され、表示デバイス１０に表示する処理を行う。このうち、ＢＭＬに記述されたモノメディアについては、モノメディアデコーダ７が通信インタフェース１５を介して、外部のデータサーバから取得し、ＢＭＬブラウザ８の処理によって表示デバイス１０に表示される。また、ＢＭＬブラウザに対する指示は、操作キー１７からキーインタフェース１６を介して行うことができるように構成されている。ＧＰＳ機能１８は、定期的に衛星から電波を受信し、常に自身の位置を緯度、経度からなる端末位置情報として算出し、ＣＰＵ１１からの端末位置情報の要求に応じて保持している端末位置情報をＣＰＵ１１に返信する。
【００１７】
図３は、エリア定義情報記憶手段２１０に記憶された情報の一例を示す図である。図３に示すように、エリア定義情報記憶手段２１０には、位置情報である緯度、経度により特定されるエリアの始点、終点とエリアＩＤが対応付けて記憶されている。始点、終点はエリアの範囲を定義するためのものであり、この２点で特定される矩形領域が１つのエリアとして定義されることになる。エリアＩＤは、任意の緯度、経度で定義される所定のエリアを他のエリアと区別するために付与された識別情報である。
【００１８】
図６は、エリア別通信記録記憶手段２２０に記憶された情報の一例を示す図である。エリア別通信記録記憶手段２２０においては、情報はエリア別に記憶されている。図６の例では、ある１つのエリアについて記憶された情報を示している。エリア別通信記録記憶手段２２０には、デジタル放送受信装置１００からの電子メールの通信記録が記憶されている。具体的には、送信元のデジタル放送受信装置１００のメールアドレスと、電子メールの送信時刻が対応付けて記憶されている。さらに、各通信記録を記憶し続けておく時間を記録時間として記憶している。この記録時間は、エリア情報管理サーバ２００における設定により変更することが可能である。本実施形態では、デジタル放送受信装置１００を特定する端末識別情報として、メールアドレスを記憶しているが、ＩＰアドレスや製品番号等を端末識別情報として記憶するようにしても良い。本実施形態では、デジタル放送受信装置１００における電子メールの送信時刻を通信時刻として記憶しているが、エリア情報管理サーバ２００における電子メールの受信時刻を通信時刻として記憶するようにしても良い。
【００１９】
図７は、エリア別端末数記憶手段２３０に記憶された情報の一例を示す図である。図６に示すように、エリア別端末数記憶手段２３０には、各エリアのエリアＩＤと、エリア別端末数が対応付けて記憶されている。このエリア別端末数は、通信記録集計手段２５０が、エリア別通信記録記憶手段２２０に記憶された通信記録を集計することにより得られるものであり、同一アドレスの通信記録については、重複を排除し、１つだけカウントされたものである。したがって、エリア別端末数は、エリア別通信記録記憶手段２２０に記憶された記録時間（６０分）前から現在までに、そのエリアから通信があったデジタル放送受信装置１００の数を示すことになる。
【００２０】
図８は、混雑状況判定条件を示す図である。この混雑状況判定条件は、エリア情報管理サーバ２００に管理されたハードディスク内の所定の記憶領域に記憶されており、混雑状況判定手段２６０により参照されるものである。図８に示すように、混雑状況判定条件は、エリア別端末数と混雑状況が対応付けられたものとなっている。本実施形態では、エリア別端末数に応じて混雑状況が５段階に設定されているが、段階をさらに多く設定したり、少なく設定したりしても良い。
【００２１】
ＢＭＬ形式のページデータは、互いにリンクされた複数のページにより１つのグループが構成されているが、放送波には先頭ページＰ１のみが含まれ、ページページ管理サーバ３００内のページデータ記憶手段内には先頭ページＰ１を除く他の全てのページ（例えば、Ｎ個のページにより１つのグループが構成されている場合は、Ｐ２〜ＰＮ）が格納されている。これ以外にも、例えば、先頭ページＰ１に遷移するためのＴＯＰページのみを放送波で送出し、Ｐ１〜ＰＮをページ管理サーバ３００に格納するようにしても良い。
【００２２】
図４は、本実施形態で利用するページを表示した際の、表示デバイス１０の画面の一例を示す図である。図４（ａ）〜（ｃ）において、上半分の網掛けを施した部分は、本線映像であり、下半分はページである。本実施形態では、３個のページＰ１、Ｐ２、Ｐ３により１つのグループが構成されたページデータを用いる。ページデータはＢＭＬ形式で記述されており、ＢＭＬブラウザにより解釈されて画面表示が行われる。
【００２３】
ページデータＰ１は、放送波により送信され、アンテナ１で受信されるものである。これに対して、ページデータＰ２、Ｐ３は、ページ管理サーバ３００内のページデータ記憶手段内に記憶されている。ページデータＰ１には、ボタンＢ１が設けられており、このボタンＢ１に関連付けて、ＧＰＳ機能１８から受信機の現在地を取得するX_DPA_getCurPos(GPS)が記述されているとともに、ページ管理サーバ３００にアクセスしてページデータＰ２を取得するための命令が記述されており、利用者がボタンＢ１を操作すると、ＣＰＵ１１は、X_DPA_getCurPos(GPS)関数を解釈して、ＧＰＳ機能１８から受信機の現在位置を取得する処理を実行するとともに、ページＰ２を表示デバイス１０に表示する。ＧＰＳ機能１８は、ＣＰＵ１１からX_DPA_getCurPos(GPS)に基づく命令を受けたときには、測位情報の形式、現在位置の緯度、現在位置の経度、測位及び座標系名称、測位結果の誤差情報を返す処理を行う。
【００２４】
ページデータＰ２には、ボタンＢ２、Ｂ３が設けられており、ボタンＢ２に関連付けて、ページ管理サーバ３００にアクセスしてページデータＰ３を取得するための命令が記述されている。ページデータＰ３には、ボタンＢ４、Ｂ５が設けられており、ボタンＢ４に関連付けて、端末位置情報を送信時刻とともにエリア情報管理サーバ２００に送信する命令が記述されている。
【００２５】
（２．処理動作）
次に、図１に示したシステムの処理動作について説明する。視聴者がデジタル放送受信装置１００を携帯し、ある地点でワンセグ放送を受信していたとする。このとき、デジタル放送受信装置１００では、放送局からコンテンツデータを受信し、所定の処理を行って映像、ＢＭＬデータを表示デバイス１０に出力するとともに、音声をスピーカ・イヤホン９から出力する処理を行う。ＢＭＬブラウザ８は、ＢＭＬデータを解釈して表示デバイス１０に出力する処理を行うが、放送波に含まれるページデータＰ１を処理すると、表示デバイス１０には、図４（ａ）に示すような画面が表示される。
【００２６】
この状態で、視聴者がボタンＢ１に対する操作を操作キー１７から行うと、その指示を受けてＣＰＵ１１は、ページデータＰ１においてボタンＢ１に組み込まれた命令を実行する。ボタンＢ１には、上述のように、ＧＰＳ機能１８から受信機の現在地を取得する命令、およびページ管理サーバ３００からページデータＰ２を取得する命令が組み込まれているため、ＣＰＵ１１は、X_DPA_getCurPos(GPS)関数を解釈して、ＧＰＳ機能１８から受信機の位置情報を取得する処理を実行するとともに、通信インターフェイス１５を介してページ管理サーバ３００にアクセスし、ページデータＰ２を取得する。ここで、ＣＰＵ１１は、ＧＰＳ機能１８から測位情報の形式、現在位置の緯度、現在位置の経度、測位及び座標系名称、測位結果の誤差情報を受け取るが、測位情報の形式、測位結果の誤差情報を用いて、現在位置の緯度、現在位置の経度を補正し、緯度・経度の位置情報として保持する。取得したページデータＰ２は、ＢＭＬブラウザにより処理され、表示デバイス１０に表示される。このときの表示画面を図４（ｂ）に示す。
【００２７】
図４（ｂ）に示すように、ページＰ２が表示された状態で、視聴者によりボタンＢ２が操作されると、ＣＰＵ１１は、ページデータＰ２においてボタンＢ２に組み込まれた命令を実行する。ボタンＢ２には、上述のように、ページ管理サーバ３００からページデータＰ３を取得する命令が組み込まれているため、ＣＰＵ１１は、通信インターフェイス１５を介してページ管理サーバ３００にアクセスし、ページデータＰ３を取得する。取得したページデータＰ３は、ＢＭＬブラウザにより処理され、表示デバイス１０に表示される。このときの表示画面を図４（ｃ）に示す。
【００２８】
図４（ｃ）に示すように、ページＰ３が表示された状態で、視聴者によりボタンＢ４が操作されると、ＣＰＵ１１は、電子メールソフトウェアを起動し、既に取得した端末位置情報を本文として含んだ文章を作成するとともに、宛先をエリア情報管理サーバ２００のアドレスとした電子メールを作成する。このとき、作成された電子メールを図５（ａ）に示す。視聴者が、電子メールの送信指示を操作キー１７から行うと、ＣＰＵ１１は、通信インターフェイス１５を介して、作成した電子メールをエリア情報管理サーバ２００に送信する。
【００２９】
エリア情報管理サーバ２００では、端末位置情報を受信すると、通信記録登録手段２４０が、受信した端末位置情報でエリア定義情報記憶手段２１０を参照し、その端末位置情報が含まれるエリアＩＤを取得する。具体的には、端末位置情報として受信した緯度、経度が、エリアを定義する始点と終点の緯度、経度の範囲に含まれるエリアのエリアＩＤを取得する。
【００３０】
次に、通信記録登録手段２４０は、エリア別に設けられたエリア別通信記録記憶手段２２０のうち、取得したエリアＩＤに対応するものを特定し、受信した電子メールの送信元のメールアドレスを、電子メールに記録されている送信時刻と対応付けて記録する。このようにして、エリア情報管理サーバ２００に送信されてきた電子メールの通信記録は、その発信元のエリアごとに記録されていくことになる。そして、各通信記録には、その通信記録の記録時間が対応付けて記録される。この記録時間は、通信記録を記録し続けている時間であり、図６の例では、全て一律の６０分に設定されている。したがって、エリア関連情報サーバ２００は、エリア別通信記録記憶手段２２０内の各通信記録を、それぞれ６０分経過したら消去する処理を行う。
【００３１】
次に、通信記録集計手段２５０が、エリア別通信記録記憶手段２２０に記録された通信記録をエリア単位で集計する。この際、必要な情報は、そのエリア内の端末数であるので、同一メールアドレスの記録が複数存在する場合には、１つだけカウントする。続いて、通信記録集計手段２５０は、集計の結果得られた記録数を、エリア別端末数としてエリアＩＤと対応付けてエリア別混雑状況記憶手段２３０に保存する。このようにして、エリア別端末数記憶手段２３０には、現在のエリア別の端末数が記録される。上述のように、通信記録は、設定された記録時間（図６の例では６０分）が経過すると消去されるため、エリア別端末数記憶手段２３０には、直近の所定時間において通信があった端末の数が集計されることになる。
【００３２】
次に、混雑状況判定手段２６０が、集計されたエリア別端末数を用いて混雑状況を判定する。具体的には、図８に示した混雑状況判定条件を参照し、混雑状況を判定する。集計されたエリア別端末数が、図７に示したような状態の場合、エリア１は４５人であるので“普通”、エリア２は１２０人であるので“非常に混雑”、エリア３は９人であるので“空”と判定されることになる。続いて、混雑状況通知手段２７０は、判定により得られた各エリアの混雑状況を本文として含んだ文章を、アクセス元のデジタル放送受信装置１００に電子メールで送信する。デジタル放送受信装置１００がエリア関連情報サーバ２００から電子メールを受信した後、視聴者からその電子メールを閲覧する指示が行われると、デジタル放送受信装置１００は受信した電子メールを表示デバイス１０に表示する。このとき、表示デバイス１０に表示された電子メール画面の一例を図５（ｂ）に示す。
【００３３】
図５（ｂ）に示すように、エリア関連情報サーバ２００から受信した電子メールには、エリアごとの混雑状況が記録されているので、視聴者は、混雑状況を確認し、空いているエリアに移動することができる。例えば、テーマパーク内において、各エリアをアトラクション別に設定しておくことにより、各アトラクションの混雑状況が一目で把握することが可能となる。これにより、視聴者は、待ち時間を減らすことができ、テーマパーク側は、顧客の回転率を高めることが可能となる。
【００３４】
（３．第２の実施形態）
次に、第２の実施形態について説明する。図９は、本発明第２の実施形態に係る混雑状況通知システムの一実施形態を示す構成図である。図９において、１００はデジタル放送受信装置、４００はエリア情報管理サーバ、４１０はエリア定義情報記憶手段、４２０はエリア別通信記録記憶手段、４３０はエリア別端末数記憶手段、４４０は通信記録登録手段、４５０は通信記録集計手段、４６０は混雑状況判定手段、４７０は混雑状況通知手段、５００はエリア別デジタル放送送信装置である。
【００３５】
デジタル放送受信装置１００は、デジタル放送の一種であるワンセグ放送を受信する機能、インターネット等のコンピュータネットワーク通信機能を搭載した携帯型の端末装置であり、例えば、ワンセグ放送受信機能、コンピュータネットワークへの通信機能を搭載した市販の携帯電話機により実現される。また、本実施形態においても、第１の実施形態と同じＧＰＳ機能付のデジタル放送受信装置１００を用いて説明するが、本実施形態では、ＧＰＳ機能は不要である。
【００３６】
エリア情報管理サーバ４００は、エリア定義情報記憶手段４１０、エリア別通信記録記憶手段４２０、エリア別端末数記憶手段４３０、通信記録登録手段４４０、通信記録集計手段４５０、混雑状況判定手段４６０、混雑状況通知手段４７０を有する。エリア定義情報記憶手段４１０は、番組を識別する番組ＩＤと、エリアを識別するエリアＩＤを対応付けて記憶したものである。エリア別通信記録記憶手段４２０は、デジタル放送受信装置１００からの通信記録を、その通信時刻とともにエリア別に記憶するものである。エリア別端末数記憶手段４３０は、所定時間内におけるエリア別の端末数を記憶するものである。エリア定義情報記憶手段４１０、エリア別通信記録記憶手段４２０、エリア別端末数記憶手段４３０は、エリア情報管理サーバ４００を実現するサーバコンピュータに内蔵または接続されたハードディスク等の記憶装置により実現される。
【００３７】
通信記録登録手段４４０は、デジタル放送受信装置１００から受信した番組ＩＤでエリア定義情報記憶手段２１０を参照してエリアＩＤを特定し、デジタル放送受信装置１００を特定する端末識別情報と、通信時刻を特定したエリアＩＤと対応付けてエリア別通信記録記憶手段４２０に登録する処理を行う。通信記録集計手段４５０は、エリア別通信記録記憶手段４２０に記憶された通信記録の数を、端末識別情報の重複を排除してエリア別に集計し、結果をエリア別端末数記憶手段４３０に登録する。混雑状況判定手段４６０は、エリア別端末数記憶手段４３０に記憶されたエリア別の端末数に応じてエリア別の混雑状況を判定する。混雑状況通知手段４７０は、混雑状況判定手段４６０により判定されたエリア別の混雑状況をデジタル放送受信装置１００に通知する。本実施形態では、混雑状況通知手段４７０は、ＢＭＬデータ作成機能およびＢＭＬデータ送信機能を備え、混雑状況を表示用データとして組み込んだＢＭＬデータを作成して送信する。エリア情報管理サーバ４００は、インターネット等のコンピュータネットワークに接続されたサーバコンピュータに、上記各手段として機能する専用のプログラムを組み込むことにより実現される。混雑状況通知手段４７０として機能するプログラムは、ページ管理サーバとしての機能も実現可能となっている。
【００３８】
エリア別デジタル放送送信装置５００は、通常のデジタル放送送信装置（第１の実施形態の場合）に比べ、送出出力が小さい送信装置であり、卓上送信機の形態で実現される。このため、短い距離しか電波が届かず、受信可能なエリアは狭くなる。図９においては、１つだけしか示していないが、本実施形態では、複数のエリア別デジタル放送送信装置５００を用い、それぞれ混雑状況を把握したい位置に設置する。したがって、エリア数と同数のエリア別デジタル放送送信装置５００が必要となる。送信する放送データに含まれるＢＭＬに含まれる番組ＩＤは、各エリア別デジタル放送送信装置５００において重複がないように設定しておく。この際、本線映像と付属音声、ＢＭＬの内容自体は、全てのエリア別デジタル放送送信装置５００で同一であっても異なっていても良い。
【００３９】
図１０は、エリア定義情報記憶手段４１０に記憶された情報の一例を示す図である。図１０に示すように、エリア定義情報記憶手段４１０には、番組を識別する番組ＩＤとエリアＩＤが対応付けて記憶されている。番組ＩＤは、ＢＭＬデータとして構成されるページデータに組み込まれており、この番組ＩＤは、上述のように、エリア別デジタル放送送信装置５００ごとに重複しないように設定されているため、そのエリア別デジタル放送送信装置５００が設置されたエリアに応じて異なる番組ＩＤが取得できることになる。エリアＩＤは、エリア別デジタル放送送信装置５００から放送波が受信できるエリアを特定するためのものである。したがって、事前に各エリア別デジタル放送送信装置５００についてエリアＩＤを定めるとともに、エリア別デジタル放送送信装置５００ごとに、送信されるＢＭＬデータに含める番組ＩＤを定めておき、そのエリアＩＤと番組ＩＤの対応関係をエリア定義情報記憶手段４１０に登録しておくことになる。
【００４０】
図１２は、エリア別通信記録記憶手段４２０に記憶された情報の一例を示す図である。エリア別通信記録記憶手段４２０においては、情報はエリア別に記憶されている。図１２の例では、ある１つのエリアについて記憶された情報を示している。エリア別通信記録記憶手段４２０には、デジタル放送受信装置１００からの番組ＩＤの受信に関する通信記録が記憶されている。具体的には、送信元のデジタル放送受信装置１００の端末番号と、デジタル放送受信装置１００からのアクセス時刻が対応付けて記憶されている。さらに、各通信記録を記憶し続けておく時間を記録時間として記憶している。この記録時間は、エリア情報管理サーバ４００における設定により変更することが可能である。本実施形態では、デジタル放送受信装置１００を特定する端末識別情報として、端末番号を記憶しているが、ＩＰアドレス等を端末識別情報として記憶するようにしても良い。本実施形態では、デジタル放送受信装置１００からのアクセス時刻を通信時刻として記憶しているが、これは、エリア情報管理サーバ４００へのアクセス時刻が大まかに特定できる範囲であれば、どの時点のものを取得しても良い。
【００４１】
エリア別端末数記憶手段４３０は、第１の実施形態のエリア別端末数記憶手段２３０と同じであり、図７に示すように、各エリアのエリアＩＤと、エリア別端末数を対応付けて記憶している。
【００４２】
また、混雑状況判定条件についても、第１の実施形態と同様、図８に示すように、エリア別端末数に応じて混雑状況が５段階に設定されている。図８は、混雑状況判定条件を示す図である。この混雑状況判定条件は、エリア情報管理サーバ２００に管理されたハードディスク内の所定の記憶領域に記憶されており、混雑状況判定手段２６０により参照されるものである。図８に示すように、混雑状況判定条件は、エリア別端末数と混雑状況が対応付けられたものとなっている。本実施形態では、エリア別端末数に応じて混雑状況が５段階に設定されているが、段階をさらに多く設定したり、少なく設定したりしても良い。
【００４３】
ＢＭＬ形式のページデータは、互いにリンクされた複数のページにより１つのグループが構成されているが、放送波には先頭ページＰ１１のみが含まれ、エリア情報管理サーバ４００内のページデータ記憶手段（図示省略）内には、具体的なページデータを作成するための雛形となるデータが先頭ページＰ１とは区別して格納されている。
【００４４】
図１１は、本実施形態で利用するページを表示した際の、表示デバイス１０の画面の一例を示す図である。図１１（ａ）（ｂ）において、上半分の網掛けを施した部分は、本線映像であり、下半分はページである。ページデータはＢＭＬ形式で記述されており、ＢＭＬブラウザにより解釈されて画面表示が行われる。
【００４５】
ページデータＰ１１は、エリア情報管理サーバ４００から卓上送信機５００に送信され、卓上送信機５００から放送波により送信され、アンテナ１で受信されるものである。これに対して、ページデータＰ１２は、エリア情報管理サーバ４００内のページデータ記憶手段内に記憶された雛形から作成される。ページデータＰ１１には、ボタンＢ１１が設けられており、このボタンＢ１１に関連付けて、ページデータＰ１１から番組ＩＤを取得する命令が記述されているとともに、取得した番組ＩＤをエリア情報管理サーバ４００に送信するための命令が記述されており、利用者がボタンＢ１１を操作すると、ＣＰＵ１１は、ページデータＰ１１から番組ＩＤを取得する処理を実行するとともに、取得した番組ＩＤをエリア情報管理サーバ４００に送信する。
【００４６】
ページデータＰ１２には、エリア情報管理サーバ４００内のページデータ記憶手段内に記憶された雛形から作成されるものであり、受信した番組ＩＤに対応するエリアの混雑状況が埋め込まれている。
【００４７】
次に、図９に示したシステムの処理動作について説明する。視聴者がデジタル放送受信装置１００を携帯し、ある地点でワンセグ放送を受信していたとする。このとき、デジタル放送受信装置１００では、卓上送信機５００からコンテンツデータを受信し、所定の処理を行って映像、ＢＭＬデータを表示デバイス１０に出力するとともに、音声をスピーカ・イヤホン９から出力する処理を行う。ＢＭＬブラウザ８は、ＢＭＬデータを解釈して表示デバイス１０に出力する処理を行うが、放送波に含まれるページデータＰ１１を処理すると、表示デバイス１０には、図１１（ａ）に示すような画面が表示される。
【００４８】
この状態で、視聴者がボタンＢ１１に対する操作を操作キー１７から行うと、その指示を受けてＣＰＵ１１は、ページデータＰ１１においてボタンＢ１１に組み込まれた命令を実行する。ボタンＢ１１には、上述のように、ページデータＰ１１から番組ＩＤを取得する命令、および取得した番組ＩＤをエリア情報管理サーバ４００に送信する命令が組み込まれているため、ＣＰＵ１１は、通信インターフェイス１５を介してエリア情報管理サーバ４００にアクセスし、ページデータＰ１１から取得した番組ＩＤを送信する。
【００４９】
エリア情報管理サーバ４００では、番組ＩＤを受信すると、通信記録登録手段４４０が、受信した番組ＩＤでエリア定義情報記憶手段４１０を参照し、その番組ＩＤに対応するエリアＩＤを取得する。
【００５０】
次に、通信記録登録手段４４０は、エリア別に設けられたエリア別通信記録記憶手段４２０のうち、取得したエリアＩＤに対応するものを特定し、番組ＩＤの送信元であるデジタル放送受信装置１００の端末番号を、そのアクセス時刻と対応付けて記録する。このようにして、エリア情報管理サーバ４００に送信されてきた番組ＩＤの通信記録は、その発信元のエリアごとに記録されていくことになる。そして、各通信記録には、その通信記録の記録時間が対応付けて記録される。この記録時間は、通信記録を記録し続けている時間であり、図１２の例では、全て一律の６０分に設定されている。したがって、エリア関連情報サーバ２００は、エリア別通信記録記憶手段４２０内の各通信記録を、それぞれ６０分経過したら消去する処理を行う。
【００５１】
次に、通信記録集計手段４５０が、エリア別通信記録記憶手段４２０に記録された通信記録をエリア単位で集計する。この際、必要な情報は、そのエリア内の端末数であるので、同一端末番号の記録が複数存在する場合には、１つだけカウントする。続いて、通信記録集計手段４５０は、集計の結果得られた記録数を、エリア別端末数としてエリアＩＤと対応付けてエリア別混雑状況記憶手段４３０に保存する。このようにして、エリア別端末数記憶手段４３０には、現在のエリア別の端末数が記録される。上述のように、通信記録は、設定された記録時間（図１２の例では６０分）が経過すると消去されるため、エリア別端末数記憶手段４３０には、直近の所定時間において通信があった端末の数が集計されることになる。
【００５２】
次に、混雑状況判定手段４６０が、集計されたエリア別端末数を用いて混雑状況を判定する。具体的には、図８に示した混雑状況判定条件を参照し、混雑状況を判定する。集計されたエリア別端末数が、図７に示したような状態の場合、エリア１は４５人であるので“普通”、エリア２は１２０人であるので“非常に混雑”、エリア３は９人であるので“空”と判定されることになる。続いて、混雑状況通知手段４７０は、判定により得られた各エリアの混雑状況を表示データとして含んだページデータＰ１２を、アクセス元のデジタル放送受信装置１００に送信する。デジタル放送受信装置１００がエリア関連情報サーバ２００からページデータＰ１２を受信すると、デジタル放送受信装置１００は受信したページデータＰ１２を表示デバイス１０に表示する。このとき、表示デバイス１０に表示された画面の一例を図１１（ｂ）に示す。
【００５３】
図１１（ｂ）に示すように、エリア関連情報サーバ４００から受信したページデータＰ１２には、エリアごとの混雑状況が記録されているので、視聴者は、混雑状況を確認し、空いているエリアに移動することができる。例えば、テーマパーク内において、各エリアをアトラクション別に設定しておくことにより、各アトラクションの混雑状況が一目で把握することが可能となる。これにより、視聴者は、待ち時間を減らすことができ、テーマパーク側は、顧客の回転率を高めることが可能となる。
【００５４】
以上、本発明の好適な実施形態について説明したが、本発明は上記実施形態に限定されず、種々の変形が可能である。例えば、上記第１の実施形態では、デジタル放送受信装置１００の端末位置情報を特定する機能として、ＧＰＳを用いたが、デジタル放送受信装置１００が通信を行う際の基地局の位置情報から特定するセルベース方式を用いるようにしても良い。セルベース方式を用いる場合、デジタル放送受信装置１００はＧＰＳ機能１８に代えて、セルベース機能を搭載する。この場合、ページデータＰ１上のボタンＢ１には、セルベース機能から受信機の現在地を取得するX_DPA_getCurPos(CB)が記述されている必要がある。そして、利用者がボタンＢ１を操作すると、ＣＰＵ１１は、X_DPA_getCurPos(CB)関数を解釈して、セルベース機能から受信機の現在位置を取得する処理を実行することになる。
【産業上の利用可能性】
【００５５】
本発明に係る混雑状況通知システムは、デジタル放送を利用したエリアごとの混雑状況の把握に利用することができる。
【符号の説明】
【００５６】
１・・・アンテナ
２・・・チューナ
３・・・ＯＦＤＭ復調器
４・・・ＴＳデコーダ
５・・・音声デコーダ
６・・・映像デコーダ
７・・・モノメディアデコーダ
８・・・ＢＭＬブラウザ
９・・・スピーカ・イヤホン
１０・・・表示デバイス
１１・・・ＣＰＵ
１２・・・ＲＡＭ
１３・・・ＲＯＭ
１４・・・ＮＶＲＡＭ
１５・・・通信インタフェース
１６・・・キーインタフェース
１７・・・操作キー
１８・・・ＧＰＳ機能
１００・・・デジタル放送受信装置
２００、４００・・・エリア情報管理サーバ
２１０、４１０・・・エリア定義情報記憶手段
２２０、４２０・・・エリア別通信記録記憶手段
２３０、４３０・・・エリア別混雑状況記憶手段
２４０、４４０・・・通信記録登録手段
２５０、４５０・・・通信記録集計手段
２６０、４６０・・・混雑状況判定手段
２７０、４７０・・・混雑状況通知手段
３００・・・ページ管理サーバ
５００・・・エリア別デジタル放送送信装置
【図１】
2010283439.tif 000003
【図２】
2010283439.tif 000004
【図３】
2010283439.tif 000005
【図４】
2010283439.tif 000006
【図５】
2010283439.tif 000007
【図６】
2010283439.tif 000008
【図７】
2010283439.tif 000009
【図８】
2010283439.tif 000010
【図９】
2010283439.tif 000011
【図１０】
2010283439.tif 000012
【図１１】
2010283439.tif 000013
【図１２】
2010283439.tif 000014